(57)【要約】【課題】遊技盤固定手段の固定状態を容易に確認することができ、かつ、遊技盤のスペースを有効に活用できる遊技機を提供すること。【解決手段】遊技機は、本体部２３と、本体部２３の正面側に取り付けられる遊技盤２５と、遊技盤２５を本体部２３に固定する遊技盤固定手段４９、５５と、を有し、遊技盤固定手段４９、５５は、遊技盤２５の正面側に回動可能に取り付けられ、許諾証５３が貼付可能な回動部材４９と、回動部材４９が回動位置Ｘにあるときは、回動部材４９と係合することで遊技盤２５を本体部２３に対し固定するとともに、回動部材４９が回動位置Ｙにあるときは、係合を解除する固定部材５５とを備えることを特徴とする。【選択図】  図２
2008104648.tif 000002
【特許請求の範囲】
【請求項１】
本体部と、
前記本体部の正面側に取り付けられる遊技盤と、
前記遊技盤を前記本体部に固定する遊技盤固定手段と、
を有する遊技機であって、
前記遊技盤固定手段は、
前記遊技盤の正面側に回動可能に取り付けられ、許諾証が貼付可能な回動部材と、
前記回動部材が回動位置Ｘにあるときは、前記回動部材と係合することで前記遊技盤を前記本体部に対し固定するとともに、前記回動部材が回動位置Ｙにあるときは、前記係合を解除する固定部材と、
を備えることを特徴とする遊技機。
【請求項２】
前記固定部材は、前記本体部に設けられ、
前記回動部材が前記回動位置Ｘにあるとき、前記回動部材の一部に対し、正面側から当接するとともに、
前記回動部材が前記回動位置Ｙにあるときは、前記当接を行わないことを特徴とする請求項１記載の遊技機。
【請求項３】
前記回動部材は、前記回動位置Ｘにあるとき、前記遊技盤の領域外に張り出し、その張り出した部分において前記固定部材と当接することを特徴とする請求項２記載の遊技機。
【請求項４】
本体部と、
前記本体部の正面側に取り付けられる遊技盤と、
前記遊技盤を前記本体部に固定する遊技盤固定手段と、
を有する遊技機であって、
前記遊技盤固定手段は、
前記本体部の正面側に回動可能に取り付けられ、許諾証が貼付可能な回動部材を備え、
前記回動部材は、回動位置Ｘにあるときは、前記遊技盤を前記本体部に対し固定するとともに、回動位置Ｙにあるときは、前記遊技盤の固定を解除することを特徴とする遊技機。
【請求項５】
前記回動部材は、前記回動位置Ｘにあるとき、前記回動部材の少なくとも一部を前記遊技盤の正面側に当接させることで、前記遊技盤を前記本体部に対し固定するとともに、前記回動位置Ｙにあるときは、前記当接を行わないことを特徴とする請求項４記載の遊技機。
【請求項６】
前記回動部材は、前記遊技盤の正面側に位置するとともに、前記遊技盤に設けられた切り欠き部を介して、前記本体部に取り付けられていることを特徴とする請求項４または５記載の遊技機。
【請求項７】
前記回動部材の回動軸は、前記遊技盤の主平面に略垂直であることを特徴とする請求項１〜６のいずれかに記載の遊技機。
【発明の詳細な説明】
【技術分野】
【０００１】
本発明は、パチンコ機等の弾球遊技機に関し、特に、遊技盤を交換可能な遊技盤脱着式の遊技機に関する。
【背景技術】
【０００２】
パチンコ機などの遊技機では、遊技盤を交換可能な遊技盤脱着方式のものが主流である。この遊技盤脱着方式の遊技機において、遊技盤を内枠（本体部）に固定するために、様々な遊技盤固定手段が用いられるが、その遊技盤固定手段の一部は、遊技盤の正面側に露出する。また、遊技盤には、遊技機の業界組合に所属していることを示す許諾証や、特許の許諾証等を、視認可能なように貼付する必要がある。
【０００３】
遊技盤の正面に、遊技盤固定手段が占める領域と、許諾証を貼付する領域とをそれぞれ設けると、遊技盤の面積が大きく占有され、遊技領域が狭くなってしまう。この点について、特許第３７２４７２２号公報は、遊技盤固定手段の表面を遮蔽部材で覆い、その遮蔽部材の正面側に許諾証を貼付することにより、遊技盤固定手段が占める領域と、許諾証を貼付する領域とを同一領域とする技術を開示している（特許文献１参照）。
【特許文献１】特許第３７２４７２２号公報
【発明の開示】
【発明が解決しようとする課題】
【０００４】
しかしながら、上記の技術では、遊技盤固定手段の表面を遮蔽部材で覆ってしまうので、そのままでは遊技盤固定手段の固定状態（遊技盤がしっかり固定されているか否か）を視認することができず、遊技盤固定手段の状態を確かめるためには、遮蔽部材を外す必要があり、大変、煩わしかった。
【０００５】
本発明は以上の点に鑑みなされたものであり、遊技盤固定手段の固定状態を容易に確認することができ、かつ、遊技盤のスペースを有効に活用できる遊技機を提供することを目的とする。
【課題を解決するための手段】
【０００６】
本発明は、
本体部と、前記本体部の正面側に取り付けられる遊技盤と、前記遊技盤を前記本体部に固定する遊技盤固定手段と、を有する遊技機であって、前記遊技盤固定手段は、前記遊技盤の正面側に回動可能に取り付けられ、許諾証が貼付可能な回動部材と、前記回動部材が回動位置Ｘにあるときは、前記回動部材と係合することで前記遊技盤を前記本体部に対し固定するとともに、前記回動部材が回動位置Ｙにあるときは、前記係合を解除する固定部材と、を備えることを特徴とする遊技機を要旨とする。
【０００７】
本発明の遊技機において、遊技盤固定手段は、回動部材を回動位置Ｘに回動させ、固定部材と係合させることにより、遊技盤を本体部に対し固定し、一方、回動部材を回動位置Ｙに回動させることにより、遊技盤の本体部への固定を解除する。すなわち、遊技盤固定手段が遊技盤を本体部に固定しているときには、回動部材は回動位置Ｘにあり、遊技盤を本体部に固定していないときは、回動部材は回動位置Ｙにある。
【０００８】
ところで、回動部材には許諾証を貼付することができ、貼付された許諾証は回動部材とともに回動し、その向き（回動における角度）を変えるが、許諾証の向きは、そこに記載された文字や数字の向きに基づいて、容易に判断することができる。
【０００９】
上述したとおり、遊技盤固定手段が遊技盤を本体部に対し固定しているか否かに対応して、回動部材及びそこに貼付された許諾証の向きが変化し、しかも、許諾証の向きは容易に判断することができるのであるから、許諾証を見るだけで、遊技盤が本体部に対し固定されているか否かを判断することができる。
【００１０】
また、本発明の遊技機において、許諾証は回動部材に貼付することができるので、遊技盤の正面に、遊技盤固定手段が占める領域と、許諾証を貼付する領域とをそれぞれ設ける必要が無く、遊技盤のスペースを有効利用することができる。
【００１１】
本発明の遊技機において、前記固定部材は、前記本体部に設けられ、前記回動部材が前記回動位置Ｘにあるとき、前記回動部材の一部に対し、正面側から当接するとともに、前記回動部材が前記回動位置Ｙにあるときは、前記当接を行わないことが好ましい。このような構成とすることにより、遊技盤の本体部への固定及び解除を一層確実に行うことができる。
【００１２】
前記回動部材は、前記回動位置Ｘにあるとき、前記遊技盤の領域外に張り出し、その張り出した部分において前記固定部材と当接することが好ましい。このような構成とすることにより、遊技盤の本体部への固定及び解除を一層確実に行うことができる。また、遊技盤のスペースを有効活用することができる。
【００１３】
また、本発明の遊技機において、前記回動部材の回動軸は、前記遊技盤の主平面に略垂直であることが好ましい。
また、本発明は、
本体部と、前記本体部の正面側に取り付けられる遊技盤と、前記遊技盤を前記本体部に固定する遊技盤固定手段と、を有する遊技機であって、前記遊技盤固定手段は、前記本体部の正面側に回動可能に取り付けられ、許諾証が貼付可能な回動部材を備え、前記回動部材は、回動位置Ｘにあるときは、前記遊技盤を前記本体部に対し固定するとともに、回動位置Ｙにあるときは、前記遊技盤の固定を解除することを特徴とする遊技機を要旨とする。
【００１４】
本発明の遊技機において、遊技盤固定手段は、回動部材を回動位置Ｘに回動させることにより、遊技盤を本体部に対し固定し、一方、回動部材を回動位置Ｙに回動させることにより、遊技盤の本体部への固定を解除する。すなわち、遊技盤固定手段が遊技盤を本体部に固定しているときには、回動部材は回動位置Ｘにあり、遊技盤を本体部に固定していないときは、回動部材は回動位置Ｙにある。
【００１５】
ところで、回動部材には許諾証を貼付することができ、貼付された許諾証は回動部材とともに回動し、その向き（回動における角度）を変えるが、許諾証の向きは、そこに記載された文字や数字の向きに基づいて、容易に判断することができる。
【００１６】
上述したとおり、遊技盤固定手段が遊技盤を本体部に対し固定しているか否かに対応して、回動部材及びそこに貼付された許諾証の向きが変化し、しかも、許諾証の向きは容易に判断することができるのであるから、許諾証を見るだけで、遊技盤が本体部に対し固定されているか否かを判断することができる。
【００１７】
本発明の遊技機において、前記回動部材は、前記回動位置Ｘにあるとき、前記回動部材の少なくとも一部を前記遊技盤の正面側に当接させることで、前記遊技盤を前記本体部に対し固定するとともに、前記回動位置Ｙにあるときは、前記当接を行わないことが好ましい。このような構成とすることにより、遊技盤の本体部への固定及び解除を一層確実に行うことができる。
【００１８】
また、本発明の遊技機において、前記回動部材は、前記遊技盤の正面側に位置するとともに、前記遊技盤に設けられた切り欠き部を介して、前記本体部に取り付けられていることが好ましい。このような構成をとることにより、遊技機の正面におけるスペースを有効に活用することができ、また、遊技盤の本体部への固定及び解除を一層確実に行うことができる。
【００１９】
また、本発明の遊技機において、前記回動部材の回動軸は、前記遊技盤の主平面に略垂直であることが好ましい。
【発明を実施するための最良の形態】
【００２０】
１．第１の実施の形態
（ａ）パチンコ機の全体構成を図１に基づいて説明する。図１は、装飾扉２７を開放した状態でのパチンコ機７の斜視図である。
【００２１】
パチンコ機７は、図１に示すように、当該パチンコ機７の外枠２１と、開閉自在に外枠２１に取り付けられた内枠（本体部）２３とを備えている。そして、内枠２３の正面側には、遊技者に遊技を提供する遊技盤２５が取り付けられている。遊技盤２５は、その右下に位置する回動部材４９、及び上方に位置する係止部材６１、６３により内枠２３に固定されるが、その詳細は後述する。
【００２２】
また、内枠２３には、内枠２３の左方に鉛直に設けられた回動軸（図示略）を介して、装飾扉２７が取り付けられている。装飾扉２７は、上記回動軸を中心として横開きに回動し、遊技盤２５を覆う位置と、遊技盤２５を開放する位置（図１に示す位置）とをとることができる。
【００２３】
さらに、パチンコ機７は、遊技盤２５上に遊技球を発射するためのハンドル２９と、遊技盤２５における遊技の結果として当該パチンコ機７から賞品として払い出される遊技球を貯留する上受け皿３１と、上受け皿３１から排出される遊技球を受ける下受け皿３３とを備えている。
（ｂ）次に、遊技盤２５を内枠２３に取り付けるとき、遊技盤２５の右下端部を内枠２３に固定するための構成を、図１及び図２〜５に基づいて説明する。図２、図４は、遊技盤２５を含む部分の正面図、図３は、図２におけるＡ−Ａ断面の断面図、図５は、図４におけるＢ−Ｂ断面の断面図である。
【００２４】
遊技盤２５の正面側のうち、右下端部付近には、長方形の板状である回動部材４９が、遊技盤２５の正面側に立設された回動軸５１を介して回動可能に取り付けられている。この回動軸５１は、遊技盤２５の主平面、及び回動部材４９の主平面のいずれに対しても垂直であり、回動部材４９の中心に接続している。よって、回動部材４９は、その中心を回動中心として、遊技盤２５と平行な状態を保ちつつ、回動可能である。ここで、図２に示すように、回動部材４９の長辺が水平方向となったときの回動部材４９の回動位置をＸとし、また、図４に示すように、回動部材４９の長辺が鉛直方向となったときの回動部材４９の回動位置をＹとする。
【００２５】
回動部材４９の正面側には、許諾証５３が貼付されている。許諾証５３は、回動部材４９が回動位置Ｘにあるとき、正面から見ると、本来の向き（許諾証５３自体の上下方向と、実際の上下方向とが一致している状態）となり、回動部材４９が回動位置Ｙにあるとき、正面から見ると、上記本来の向きから９０℃回転した向きとなる。
【００２６】
内枠２３の正面側のうち、遊技盤２５とは重ならない部分であって、回動部材４９の右方にあたる部分には、固定部材５５が設けられている。固定部材５５は、内枠２３の正面側に立設された本体５７と、本体５７の先端において、左方に張り出した爪である係合部５９とから成る。図２、３に示すように、回動部材４９が回動位置Ｘにあるとき、正面側から見て、その右端付近が、遊技盤２５よりも右側に張り出すが、係合部５９は、回動部材４９のうち、遊技盤２５よりも右側に張り出した部分に正面側から当接し、回動部材４９及び遊技盤２５を内枠２３に固定する。すなわち、固定部材５５は、回動部材４９が回動位置Ｘにあるとき、回動部材４９と係合することで遊技盤２５を内枠２３に対し固定する。
【００２７】
一方、図４、５に示すように、回動部材４９が回動位置Ｙにあるとき、固定部材５５の係合部５９は、回動部材４９から離れた状態となり、回動部材４９及び遊技盤２５は、内枠２３に対し固定されない。
【００２８】
よって、遊技盤２５を内枠２３に取り付けるときは、まず、回動部材４９が回動位置Ｙにある状態にて、遊技盤２５を内枠２３に当接させ、次に、回動部材４９を回動位置Ｘに回動させればよい。
（ｃ）次に、遊技盤２５を内枠２３に取り付けるとき、遊技盤２５の上端付近を内枠２３に固定するための構成を、図１に基づいて説明する。
【００２９】
内枠２３の正面側上方には、係止部材６１、６３が設けられている。これら係止部材６１、６３は、内枠２３から正面方向に延びる軸（図示略）の先端に、楕円型の係止プレート６５、６７を回動自在に備えたものである。一方、遊技盤２５には、係止プレート６５、６７に対応する位置に、縦長の長穴６９、７１が設けられている。遊技盤２５を内枠２３に取り付けるとき、長径を縦向きにした係止プレート６５、６７を長穴６９、７１に通し、次に、係止プレート６５、６７を横向きにすることで、遊技盤２５の上方を内枠２３に対し係止することができる。
（ｄ）次に、パチンコ機７が奏する効果を説明する。
【００３０】
(i)上述したように、固定部材５５が回動部材４９と係合し、遊技盤２５を内枠２３に対し固定しているとき、回動部材４９は回動位置Ｘにあり、回動部材４９に貼付された許諾証５３は、本来の向きとなる。一方、固定部材５５が回動部材４９と係合せず、遊技盤２５を内枠２３に対し固定していないとき、回動部材４９は、回動位置Ｘ以外の角度（例えば回動位置Ｙ）となり、回動部材４９に貼付された許諾証５３は、本来の向きにはならない。よって、許諾証５３の向きを見るだけで、遊技盤２５が内枠２３に対し固定されているか否かを判断することができる。
(ii)許諾証５３は回動部材４９の正面側に貼付されるので、遊技盤２５の正面に、回動部材４９が占める領域と、許諾証５３を貼付する領域とをそれぞれ設ける必要が無く、遊技盤２５のスペースを有効利用することができる。
２．第２の実施の形態
（ａ）本第２の実施の形態におけるパチンコ機７の構成は、基本的には前記第１の実施の形態と同様であるが、遊技盤２５を内枠２３に固定するための構成において一部相違する。以下では、その相違点を中心に説明する。
（ｂ）遊技盤２５を内枠２３に取り付けるとき、遊技盤２５の右下端部を内枠２３に固定するための構成を、図１及び図６〜図９に基づいて説明する。図６、図８は、遊技盤２５を含む部分の正面図、図７は、図６におけるＣ−Ｃ断面の断面図、図９は、図８におけるＤ−Ｄ断面の断面図である。
【００３１】
遊技盤２５の正面側のうち、右下端部付近には、切り欠き部７３が形成されている。切り欠き部７３は、遊技盤２５の下端面２５ａから上方に向けて形成され、縦長の長方形形状を有している。
【００３２】
切り欠き部７３の正面側には、長方形の板状である回動部材７５が、内枠２３の正面側に立設された回動軸７７を介して取り付けられている。この回動軸７７は、切り欠き部７３を通って、内枠２３と回動部材７５の中心とを接続しており、遊技盤２５の主平面、及び回動軸７７の主平面のいずれに対しても垂直である。よって、回動部材７５は、その中心を回動中心として、遊技盤２５と平行な状態を保ちつつ、回動可能である。ここで、図６に示すように、回動部材７５の長辺が水平方向となったときの回動部材７５の回動位置をＸとし、また、図８に示すように、回動部材７５の長辺が鉛直方向となったときの回動部材７５の回動位置をＹとする。
【００３３】
回動部材７５の正面側には、許諾証５３が貼付されている。許諾証５３は、回動部材７５が回動位置Ｘにあるとき、正面から見ると、本来の向き（許諾証５３自体の上下方向と、実際の上下方向とが一致している状態）となっており、回動部材７５が回動位置Ｙにあるとき、正面から見ると、上記本来の向きから９０℃回転した向きとなっている。
【００３４】
回動部材７５は、図６、図７に示すように、回動位置Ｘにあるとき、正面側から見て、切り欠き部７３の左右両側にはみ出し、そのはみ出した部分が、遊技盤２５の正面側と当接する。このとき遊技盤２５は、正面側から回動部材７５で抑えられることにより、内枠２３に対し固定される。
【００３５】
一方、回動部材７５は、図８、図９に示すように、回動位置Ｙにあるとき、正面側から見て、切り欠き部７３の範囲内に全て収まる。このとき、遊技盤２５は、内枠２３に当接した位置から、回動部材７５に当たることなく、正面側に引き出すことが可能である（遊技盤２５は内枠２３に対し固定されていない）。
【００３６】
よって、遊技盤２５を内枠２３に取り付けるときは、まず、回動部材７５が回動位置Ｙにある状態にて、遊技盤２５を内枠２３に当接させ、次に、回動部材７５を回動位置Ｘに回動させればよい。
（ｃ）次に、パチンコ機７が奏する効果を説明する。
【００３７】
(i)上述したように、回動部材７５が遊技盤２５を内枠２３に対し固定しているとき、回動部材７５は回動位置Ｘにあり、回動部材７５に貼付された許諾証５３は本来の向きとなる。一方、回動部材７５が遊技盤２５を内枠２３に対し固定していないとき、回動部材７５は、回動位置Ｘ以外の角度（例えば回動位置Ｙ）となり、回動部材７５に貼付された許諾証５３の向きは、本来の向きとはならない。よって、許諾証５３の向きを見るだけで、遊技盤２５が内枠２３に対し固定されているか否かを判断することができる。
(ii)許諾証５３は回動部材７５の正面側に貼付されるので、遊技盤２５の正面に、回動部材７５が占める領域と、許諾証５３を貼付する領域とをそれぞれ設ける必要が無く、遊技盤２５のスペースを有効利用することができる。
【００３８】
尚、本発明は前記実施の形態になんら限定されるものではなく、本発明を逸脱しない範囲において種々の態様で実施しうることはいうまでもない。
例えば、遊技盤２５の端部のうち、右下の端部以外も、回動部材４９（７５）等により、内枠２３に対し固定してもよい。
【図面の簡単な説明】
【００３９】
【図１】装飾扉２７を開放した状態におけるパチンコ機７の斜視図である。
【図２】遊技盤２５を含む部分の正面図である。
【図３】図２におけるＡ−Ａ断面での断面図である。
【図４】遊技盤２５を含む部分の正面図である。
【図５】図４におけるＢ−Ｂ断面での断面図である。
【図６】遊技盤２５を含む部分の正面図である。
【図７】図６におけるＣ−Ｃ断面での断面図である。
【図８】遊技盤２５を含む部分の正面図である。
【図９】図８におけるＤ−Ｄ断面での断面図である。
【符号の説明】
【００４０】
７・・・パチンコ機    ２１・・・外枠    ２３・・・内枠    ２５・・・遊技盤    ２７・・・装飾扉    ２９・・・ハンドル    ３１・・・上受け皿    ３３・・・下受け皿    ４９、７５・・・回動部材    ５１、７７・・・回動軸    ５３・・・許諾証    ５５・・・固定部材    ５７・・・本体    ５９・・・係合部    ６１、６３・・・係止部材    ６５、６７・・・係止プレート    ６９、７１・・・長穴    ７３・・・切り欠き部
【図１】
2008104648.tif 000003
【図２】
2008104648.tif 000004
【図３】
2008104648.tif 000005
【図４】
2008104648.tif 000006
【図５】
2008104648.tif 000007
【図６】
2008104648.tif 000008
【図７】
2008104648.tif 000009
【図８】
2008104648.tif 000010
【図９】
2008104648.tif 000011